(57)【特許請求の範囲】
【請求項１】
バッグ本体と、
前記バッグ本体の上部に設けられたポケットと、
前記ポケットに収容される、防水性のシート状カバーと、
を備え、
前記ポケットは、その下部において前記バッグ本体に取り付けられ、前記ポケットの上部にショルダーベルトが設けられたことを特徴とするバッグ。
【請求項２】
バッグ本体と、
前記バッグ本体の上部に設けられたポケットと、
前記ポケットに収容される、防水性のシート状カバーと、
を備え、
前記ポケットは、その開口部が前記バッグ本体の幅方向の実質的に全長に亘って設けられ、前記カバーは、前記ポケットの開口部の長さと実質的に同じ幅を有することを特徴とするバッグ。
【請求項３】
バッグ本体と、
前記バッグ本体の上部に設けられたポケットと、
前記ポケットに収容される、防水性のシート状カバーと、
を備え、
前記カバーの前記バッグ本体と対向する面に当該バッグ本体と連結可能な連結部を設けたことを特徴とするバッグ。
【請求項４】
前記カバーは、展開時に、前記バッグ本体の上面の少なくとも一部及び前面の少なくとも一部を覆うように構成されていることを特徴とする請求項１ないし請求項３のいずれか１項に記載のバッグ。
【請求項５】
前記バッグ本体は前記上面又は前記前面に開閉用のファスナを有し、前記カバーは展開時に当該ファスナの少なくとも一部を覆うように設けられていることを特徴とする請求項４に記載のバッグ。
【発明の詳細な説明】
【技術分野】
【０００１】
本明細書の開示は、防水性のカバーを有するバッグに関する。
【背景技術】
【０００２】
従来から、バッグの中身を雨から保護するための防水性のカバーを有するバッグが知られている。例えば、特開２００９−４５２６５号公報（特許文献１）には、撮像機器を収納するバッグ本体のポケットに収納された防水性のカバーを有するキャリングバッグが開示されている。特許文献１の段落［００４７］ないし段落［００５０］に記載されているように、従来のバッグ用の防水性カバーはバッグのほぼ全体を覆う袋状に構成されることが多い。
【先行技術文献】
【特許文献】
【０００３】
【特許文献１】特開２００９−４５２６５号公報
【発明の概要】
【発明が解決しようとする課題】
【０００４】
しかしながら、バッグのほぼ全体を覆うような立体的形状（例えば、袋状）にカバーを形成すると以下の問題が生じる。まず、使用時にポケットから取り出してバッグを覆うために多くの工数を要するので、迅速にバッグを覆うことができない。また、使用時に内部に水が貯まりやすい。さらに、立体的形状であることから小さく折り畳むことが難しく、使用後にポケットに収容することが容易ではない。
【０００５】
そこで、本明細書の開示は、上述した従来の防水性カバーを有するバッグにおける問題の少なくとも一部を解決又は緩和することを目的とする。これ以外の目的については、本明細書全体から明らかになる。
【課題を解決するための手段】
【０００６】
本発明の一実施形態に係るバッグは、バッグ本体と、前記バッグ本体の上部に設けられたポケットと、前記ポケットに収容されるカバーと、を備える。当該カバーは防水性を有する。
【０００７】
当該実施形態によれば、カバーがシート状に形成されているので、使用時にはポケットから取り出して展開するだけで重力で下方に垂れ下がり、当該ポケットの下方にあるバッグ本体（の少なくとも一部）を覆うことができる。従来の袋状のカバーは、使用時に、ポケットから取り出したカバーの内部にバッグ本体を収めなければならない。上記実施形態のカバーはシート状に形成されているため、使用時に、従来の袋状のカバーと比べて、バッグ本体を容易に覆うことができる。また、当該実施形態におけるカバーはシート状に形成されているため、水がカバーの内部に貯まりにくい。さらに、当該実施形態におけるカバーはシート状に形成されているため、袋状などの立体的な形状を有するカバーに比べて容易に折り畳むことができる。したがって、使用後にポケット内へ収容することが容易である。
【０００８】
本発明の一実施形態に係るバッグにおいては、前記ポケットが、その下部において前記バッグ本体に取り付けられ、前記ポケットの上部にショルダーベルトが設けられる。当該実施形態においては、ショルダーベルトがポケットの上部に設けられているので、当該ポケットからカバーを取り出して展開するときに、カバーがショルダーベルトと干渉しないので、カバーの展開や折り畳みが一層容易になる。
【０００９】
本発明の一実施形態においては、前記ポケットの開口部が前記バッグ本体の幅方向の実質的に全長に亘って設けられ、カバーが前記ポケットの開口部の長さと実質的に同じ幅を有するように構成される。当該実施形態によれば、カバーによって、降雨時に雨水が浸入しやすいバッグ本体の上部をその幅方向のほぼ全長に亘って覆うことができる。
【００１０】
本発明の一実施形態におけるカバーは、展開時に、前記バッグ本体の上面の少なくとも一部及び前面の少なくとも一部を覆うように構成される。また、本発明の一実施形態において、前記バッグ本体は前記上面又は前記前面に開閉用のファスナを有し、前記カバーは展開時に当該ファスナの少なくとも一部を覆うように設けられる。バッグ本体の上面には荷物を出し入れするための開口部が設けられやすく、また、バッグ本体の前面には小ポケットが設けられやすいので、バッグ本体の上面や前面はバッグ本体内部への雨水の浸入口となりやすい。当該実施形態によれば、バッグ本体の上面及び前面をカバーによって覆うことができるので、雨水のバッグ内部への侵入を効果的に防止できる。本明細書では、説明の便宜上、雨水のバッグ内への侵入防止を中心に説明するが、本発明のカバーによれば雨水以外の水のバッグ内部への侵入も防止できる。例えば、海辺、川辺、又は船上でバッグを使用する場合には、海水や河川水がバッグ本体に侵入することを防止できる。
【００１１】
本発明の一実施形態においては、前記カバーの展開時に前記バッグ本体と対向する面に、当該バッグ本体と連結可能な連結部が設けられる。当該実施形態によれば、使用時にカバーを所定の位置（バッグ本体を覆う位置）に保持しておくことができる。本発明のカバーはシート状に形成されているため、風に煽られてバッグ本体からめくれ上がってしまうおそれがあるが、当該実施形態によれば連結部でカバーをバッグ本体に連結しておくことができる。
【発明の効果】
【００１２】
以上のように、本発明の実施の形態に係るバッグによれば、ポケットからカバーを取り出してバッグを覆うことが容易にでき、使用時にカバー内に水が貯まらず、さらに使用後にカバーを容易にポケットに収容することができる。
【図面の簡単な説明】
【００１３】
【図１】本発明の一実施形態に係るバッグを概略的に示す斜視図
【図２】本発明の一実施形態に係るバッグを概略的に示す斜視図
【図３】本発明の一実施形態に係るバッグを概略的に示す側面図
【発明を実施するための形態】
【００１４】
以下、本発明の様々な実施形態を適宜図面を参照して説明する。なお、複数の図面にわたって共通する構成要素には同一の参照符号が付されている。
【００１５】
まず、図１及び図２を参照して、本発明の一実施形態に係るカバーを有するバッグの概要を説明する。図１及び図２は、本発明の一実施形態に係るバッグを概略的に示す斜視図であり、図１ではカバーがポケット内に収容されており、図２ではカバーがポケットから取り出されてバッグの上面及び前面に展開されている。
【００１６】
図示のとおり、本発明の一実施形態に係るバッグ１０は、バッグ本体１１と、バッグ本体１１の上端に取り付けられたポケット１２と、普段は当該ポケット１２に収容され使用時にポケット１２から外へ引き出されるカバー２０と、を備える。
【００１７】
バッグ本体１１は、例えば、ナイロン、キャンバス、及びこれら以外の公知の生地を縫い合わせることで形成される。バッグ本体１１の上面には、バッグ本体１１の幅方向の全長に亘って伸びる開口部が形成されており、当該開口部から荷物が出し入れされる。この開口部は、バッグ本体１１の側面にまで延伸していてもよい。図１に示すように、当該開口部はスライドファスナ１３によって開閉されるように構成される。
【００１８】
一実施形態におけるポケット１２は、例えばバッグ本体１１と同じ素材から作成され、内部にカバー２０を収容できるように袋状に形成される。一実施形態におけるポケットは、図示のようにバッグ本体１１の横幅とほぼ同じ横幅を持ち、その下部がバッグ本体１１の上部（例えば、バッグ本体１１の背面側の生地の上部）に縫い付けられる。ポケット１２には、カバー２０を出し入れするための開口部が設けられており、当該開口部はスライドファスナ１３によって開閉される。一実施形態においては、図示のように、ポケット１２の開口部は、バッグ本体１１の横幅と実質的に同じ長さを有するように形成される。ポケット１２の開口部の長さはバッグ本体１１の横幅と実質的に同じ長さを有するので、当該開口部からカバー２０を取り出して下方に垂れ下がらせたときに、バッグ本体の上部をその幅方向の略全長に亘って覆うことができる。ポケット１２の開口部がバッグ本体１１の幅方向の「実質的」に全長に亘って設けられるという場合には、ポケット１２の開口部の長さはバッグ本体１１と完全に等しい必要はなく、ポケット１２の開口部の長さは、ポケット１２から展開されるカバー２０がバッグ本体１１の上部の大部分を覆うことができるように、バッグ本体１１の幅の例えば５０％〜１５０％であればよい。
【００１９】
本発明の一実施形態において、カバー２０は、ほぼ方形で、その一辺の長さがポケット１２の開口部と実質的に同じ長さになるように形成される。カバー２０の当該一辺は、ポケット１２の内部に縫い付けられ、または、ポケット１２の内部に面ファスナーやボタンによって取り付けられる。カバー２０の当該一辺の長さをポケット１２の開口部と実質的に同じ長さとすることにより、ポケット１２からのカバー２０の取り出しや、ポケット１２へのカバー２０の収容が容易になる。
【００２０】
バッグ１０には様々な荷物を収容することができるが、このバッグ１０は、例えば、リール、仕掛け、及びその他の釣り具を入れるための釣り具用バッグであってもよい。釣り具用バッグは、屋外で使用されることが多く、特に海や川の近くの水に濡れやすい場所で使用されるため高い防水性を有することが望ましい。本発明の一実施形態に係るバッグ１０は、バッグ本体１１の内部への水の侵入を防止備するためのカバー２０を備えている。一実施形態におけるカバー２０は、ほぼ方形のシート状の形状を有しており、防水性を備えている。例えば、カバー２０は、ナイロン等の柔軟な生地に任意の公知の手法で防水加工や撥水加工を施した素材で形成される。カバー２０は、普段は図１に示すようにポケット１２の内部に収容されており、例えば降雨時にポケット１２から取り出され、図２に示すようにバッグ本体１１の上面及び正面を覆うように展開される。ポケット１２の開口部には当該開口部を開閉するためのスライドファスナ１６が装着されている。
【００２１】
図示されているバッグ１０は、ショルダーバッグとして構成されている。このため、ポケット１２の上部の左右端部には、肩掛け用のベルト１７が取り付けられている。本発明はショルダーバッグ以外の様々な種類のバッグにも適用することができる。本発明を適用することができるバッグには、ウエストバッグ、メッセンジャーバッグ、ナップサック、リュックサック、及びブリーフケースを含むがこれらには限られない。
【００２２】
本発明の一実施形態において、バッグ本体１１の前面には、２つの前面ポケット１４が設けられる。これらのポケット１４の上側には、スライドファスナ１５が設けられている。ポケット１４は、スライドファスナ１５をスライドさせることにより開閉することができる。
【００２３】
カバー２０の使用時には、まずファスナー１６をスライドさせてポケット１２を開口させ、このポケット１２内に折り畳まれて収容されているカバー２０をポケット１２の外に取り出し、図２に示すように展開する。このようして展開されたカバー２０によって、バッグ本体１１の上面及び前面の一部を覆うことができる。上述したように、ベルト１７は、ポケット１２の上部に取り付けられているので、ポケット１２からカバー２０を取り出すときに、カバー２０とベルト１７との干渉を防止することができる。
【００２４】
本発明の一実施形態において、バッグ本体１１の開口部は（従って、ファスナー１３も）、バッグ本体１１の上面にその幅方向全体に延伸するように構成されているので、ポケット１２の開口部がバッグ本体１１の幅方向の実質的に全長に亘って延伸するとともにカバー２０の横幅（バッグ本体１１の幅方向とほぼ平行な一辺の長さ）をポケット１２の開口部の長さと実質的に同じ幅にすることで、カバー２０によってバッグ本体１１の前記開口部の大部分を覆うことができる。また、図２に例示するようにカバー２０によって前面ポケット１４の上部が覆われるようにカバー２０の縦幅を定めることにより、前面ポケット１４の上部に形成された前面ポケット１４用の開口部もカバー２０によって覆うことができる。図２に示したカバー２０の寸法は一例に過ぎず、バッグ本体１１における開口部の位置やバッグ本体１１に対する前面ポケット１４の位置に応じて、カバー２０の寸法は適宜変更され得る。例えば、前面ポケット１４が図１に示す位置よりも下方にある場合には、カバー２０によって当該前面ポケットの少なくとも上部を覆うことができるように、カバー２０の縦幅を図２に示すよりも長くすることができる。前面ポケット１４が存在しない場合には、カバー２０の縦幅はバッグ本体１１の上面の開口部を覆う程度に、図２に示すものよりも短く定めることができる。
【００２５】
図３に示すように、本発明の一実施形態においては、バッグ本体１１の前面に面ファスナーのテープ１８（ループテープ）が設けられる。また、カバー２０の裏面（展開時にバッグ本体１１と対向する側の面）において、カバー２０の展開時にテープ１８と対向する位置には、面ファスナーのテープ１９（フックテープ）が設けられる。カバー２０の使用時には、テープ１８とテープ１９とを結合することにより、バッグ本体１１に対してカバー２０を結合することができる。これにより、カバー２０の使用時にカバー２０が所定の位置から外れないようにすることができる。テープ１８をフックテープとし、テープ１９をおループテープとしてもよい。
【００２６】
カバー２０は、バッグ本体１１の収容空間とは別のポケット１２によって画定される収容空間に収容されるので、濡れているカバー２０をポケット１２に収容しても、バッグ本体１１内の荷物を濡らすおそれが少ない。特にカバー２０の内側の生地を袋状の防水性の生地（例えば、防水加工したナイロン）とすることにより、濡れたカバー２０をポケット１２に収容したとしても、バッグ本体１１を濡らすおそれがない。
【００２７】
本発明の実施形態は、上述した実施形態に限定されるものではなく、その要旨を逸脱しない範囲内で様々な変更が可能である。例えば、上述した実施形態における各部材の、材質、形状、寸法、形態、数、又は配置等は適宜変更され得る。
【符号の説明】
【００２８】
１０  バッグ
１１  バッグ本体
１２  ポケット
１３、１５、１６  ファスナ
１４  前面ポケット
１７  ベルト
１８、１９  テープ
２０  カバー
【図１】
0006324886.tif 000002
【図２】
0006324886.tif 000003
【図３】
0006324886.tif 000004